(57)【要約】【課題】遊技者が選択したＢＧＭなどの演出制御と、ＡＲＴ等の有利状態に関わる所定条件の成立によって制御される演出制御が、所定の優先順位で制御・実行されることで、遊技者に新たな興趣を付与する。【解決手段】スロットマシンにおいて、演出制御手段によって制御される演出制御状態として、演出実行手段に実行させる演出が、操作受付手段への遊技者の選択操作に基づいて制御されるＢＧＭ演出と、ＡＲＴ状態の制御においてストックゲームの成立に基づいて制御されるストック示唆演出とを備え、演出制御手段は、ＢＧＭ演出状態においてストックゲームの所定条件が成立した場合に、ストック示唆演出状態に移行させる制御を実行可能である構成としてある。【選択図】      図８
2018068712.tif 000002
【特許請求の範囲】
【請求項１】
遊技の進行に関連する演出を実行可能な演出実行手段と、
前記演出実行手段を制御可能な演出制御手段と、
通常状態よりも遊技者に有利な有利状態を制御可能な有利状態制御手段と、
遊技者の操作を受け付け可能な操作受付手段と、
を備える遊技機において、
前記演出制御手段によって制御される演出制御状態として、
前記演出実行手段に実行させる演出が、前記操作受付手段への遊技者の操作に基づいて制御される第１演出状態と、
前記演出実行手段に実行させる演出が、前記有利状態の制御に関わる所定条件の成立に基づいて制御される第２演出状態と、
を備え、
前記演出制御手段は、
前記第１演出状態において前記所定条件が成立した場合に、前記第２演出状態に移行させる制御を実行可能である
ことを特徴とする遊技機。
【請求項２】
遊技の進行に関連する演出を実行可能な演出実行手段と、
前記演出実行手段を制御可能な演出制御手段と、
通常状態よりも遊技者に有利な有利状態を制御可能な有利状態制御手段と、
遊技者の操作を受け付け可能な操作受付手段と、
を備える遊技機において、
前記演出制御手段によって制御される演出制御状態として、
前記演出実行手段に実行させる演出が、前記操作受付手段への遊技者の操作に基づいて制御される第１演出状態と、
前記演出実行手段に実行させる演出が、前記有利状態の制御に関わる所定条件の成立に基づいて制御される第２演出状態と、
を備え、
前記演出制御手段は、
前記第２演出状態において前記操作受付手段への遊技者の操作を受け付けた場合に、前記第１演出状態に移行させる制御を実行可能である
ことを特徴とする遊技機。
【請求項３】
前記有利状態を実行するための実行権利を記憶可能な記憶手段を備え、
前記所定条件は、前記実行権利が所定数となった場合に成立可能である
ことを特徴とする請求項１又は２に記載の遊技機。
【請求項４】
前記所定条件は、前記有利状態の残ゲーム数が所定ゲーム数となった場合に成立可能である
ことを特徴とする請求項１又は２に記載の遊技機。
【請求項５】
前記有利状態には、有利度の異なる第１有利状態と、第２有利状態と、が含まれ、
前記演出制御手段は、
前記第１有利状態においては、演出制御状態を前記第１演出状態に制御可能とし、
前記第２有利状態においては、演出制御状態を前記第２演出状態に制御可能とする
ことを特徴とする請求項１から４のいずれか一項に記載の遊技機。
【請求項６】
前記演出制御手段は、
前記第１演出状態において制御され得る演出と、前記第２演出状態において制御され得る演出とを異ならせる
ことを特徴とする請求項１から５のいずれか一項に記載の遊技機。
【請求項７】
前記演出実行手段が実行可能な演出には、前記第１演出状態において遊技者の操作に基づいて制御されることがない特定演出が含まれ、
前記演出制御手段は、
前記有利状態が継続することによって成立し得る特定条件の成立に基づいて、前記第１演出状態と前記第２演出状態とのいずれの演出制御状態であっても、前記演出実行手段に前記特定演出を実行させる
ことを特徴とする請求項１から６のいずれか一項に記載の遊技機。
【請求項８】
前記演出制御手段は、
前記第２演出状態においても、前記第１演出状態において遊技者の操作に基づいて制御される演出のうち一部を制御可能である
ことを特徴とする請求項１から７のいずれか一項に記載の遊技機。
【請求項９】
前記演出制御手段は、
前記第１演出状態から移行した前記第２演出状態において復帰条件が成立した場合に、前記第２演出状態から前記第１演出状態に復帰させる演出状態復帰手段を備え、
前記演出状態復帰手段は、
前記第２演出状態から前記第１演出状態に復帰させた場合に、前記第２演出状態に移行する前の前記第１演出状態において遊技者の操作に基づいて制御されていた演出を前記演出実行手段に実行させる
ことを特徴とする請求項１から８のいずれか一項に記載の遊技機。
【発明の詳細な説明】
【技術分野】
【０００１】
本発明は、遊技の状態に応じた演出を行う演出手段を備える遊技機に関する。
【背景技術】
【０００２】
この種の遊技機としては、スロットマシンやパチンコ機等がある。例えば、スロットマシンは、図柄などの識別情報が周面に表された表示手段として動作するリールを回転させ、遊技者の停止操作によってリールを停止させるとともに、識別情報の停止表示態様に基づいて入賞の有無を判定し、所定の遊技価値を付与するように構成されている。
【０００３】
また、このような遊技機では、遊技の状態に応じて所定の演出を行うものが知られている（例えば、特許文献１）。特許文献１に係る遊技機では、所謂ＡＲＴ（アシスト・リプレイ・タイム）と呼ばれる遊技者に有利な遊技状態において、所定のＢＧＭが出力されるとともに、ＡＲＴの残りストック数（ゲーム数）に応じてＢＧＭを変化させる演出が行われるようになっている。
【先行技術文献】
【特許文献】
【０００４】
【特許文献１】特開２０１３−２５２３１７号公報
【発明の概要】
【発明が解決しようとする課題】
【０００５】
ところが、このような従来の遊技機には、改善の余地があった。
【課題を解決するための手段】
【０００６】
上記課題を解決するため、本発明の遊技機は、遊技の進行に関連する演出を実行可能な演出実行手段と、前記演出実行手段を制御可能な演出制御手段と、通常状態よりも遊技者に有利な有利状態を制御可能な有利状態制御手段と、遊技者の操作を受け付け可能な操作受付手段と、を備える遊技機において、前記演出制御手段によって制御される演出制御状態として、前記演出実行手段に実行させる演出が、前記操作受付手段への遊技者の操作に基づいて制御される第１演出状態と、前記演出実行手段に実行させる演出が、前記有利状態の制御に関わる所定条件の成立に基づいて制御される第２演出状態と、を備え、前記演出制御手段は、前記第１演出状態において前記所定条件が成立した場合に、前記第２演出状態に移行させる制御を実行可能である構成としてある。
【図面の簡単な説明】
【０００７】
【図１】本発明の一実施形態に係る遊技機の外観を示す概略正面図である。
【図２】本発明の一実施形態に係る遊技機の内部構成を示す概略斜視図である。
【図３】本発明の一実施形態に係る遊技機の制御構成を示すブロック図である。
【図４】本発明の一実施形態に係る遊技機における遊技状態の移行関係を示す図である。
【図５】本発明の一実施形態に係る遊技機における各遊技状態の特性を示す図表である。
【図６】本発明の一実施形態に係る遊技機における演出制御で設定・実行可能な演出内容を示す図表であり、（ａ）は演出内容となるＢＧＭの種類と設定対象の対応関係の一例を示しており、（ｂ）は演出制御の実行条件の一例を示している。
【図７】本発明の一実施形態に係る遊技機における演出制御で実行可能な演出内容となるＢＧＭ等の選択・設定操作を説明するための図であり、（ａ）は選択可能なＢＧＭ等とその選択コマンドの対応関係を示す図表であり、（ｂ）及び（ｃ）は選択・設定画面の一例を示す図である。
【図８】本発明の一実施形態に係る遊技機における演出制御の第１のパターンを示す図であり、（ａ）は実行可能な演出パターンのフローチャートであり、（ｂ）は実行される演出パターンの一例を模式的に示す説明図ある。
【図９】本発明の一実施形態に係る遊技機における演出制御の第２のパターンを示す図であり、（ａ）は実行可能な演出パターンのフローチャートであり、（ｂ）は実行される演出パターンの一例を模式的に示す説明図ある。
【図１０】本発明の一実施形態に係る遊技機における演出制御の第３のパターンを示す図であり、（ａ）は実行可能な演出パターンのフローチャートであり、（ｂ）は実行される演出パターンの一例を模式的に示す説明図ある。
【発明を実施するための形態】
【０００８】
以下、本発明に係る遊技機の好ましい実施形態について、図１〜図１０を参照して説明する。
【０００９】
［スロットマシン］
スロットマシン１は、本発明に係る遊技機の一実施形態であり、公知のスロットマシンと同様の構成となっており、前面に開口部を有する筐体１ｂと、開口部を開閉可能に覆う前扉１ａとを備えている。
前扉１ａは、複数のリール４１ａ〜４１ｃのそれぞれに表された連続する３つの図柄（識別情報）を機外から識別可能に構成されるとともに、遊技者により操作される複数の操作手段（２ａ、３、５）を備えている。筐体１ｂは、リール４１ａ〜４１ｃを回転駆動させるドラムユニット４、メダルの払い出しを行うメダル払出装置７などの複数の装置、コンピュータとして動作する主制御部１０、副制御部２０などを備えている。
【００１０】
このようなスロットマシン１は、主制御部１０が事前決定手段、導出制御手段、遊技価値付与手段、遊技状態制御手段、出力手段などとして動作することにより、以下のようなスロットマシン遊技を実行可能に構成されている。
スロットマシン遊技では、ゲームの開始にあたり、メダル（クレジットメダルも含む）を用いて掛け数の設定が行われる。
掛け数の設定は、メダル投入口２から直接メダルを投入して設定する方法と、ベットボタン２ａを押下操作して設定する方法とがある。
【００１１】
メダル投入口２からメダルを投入して掛け数を設定する方法では、投入されたメダルが前扉１ａ裏面に設けられたメダルセレクタ２ｂ（メダル検出手段）によって検知されることにより、投入分のメダル枚数に対応する掛け数（ただし、メダル３枚に対応する掛け数「３」が上限）が設定されることになる。
なお、掛け数の上限は、「１」、「２」、又は「４」以上でもよい。
【００１２】
ベットボタン２ａは、掛け数の設定に係る遊技者の操作を受け付け可能な操作手段の一例であり、これが押下操作されると、内部的にデータとして記憶されたクレジットメダルから、所定数（例えば、３枚）のメダル数が減算され、減算された分が掛け数として設定されることになる。
なお、ベットボタンは、ベットボタン２ａのみに限らず、設定される掛け数のそれぞれ異なるベットボタンを複数設けることもできる。また、クレジットメダルは、メダル投入口２からのメダル投入や入賞により加算され、例えば、メダル５０枚までクレジット（記憶）することができる。
【００１３】
このように、メダル投入口２からの直接投入やベットボタン２ａの押下操作により設定された掛け数は、主制御部１０に備えるＲＡＭなどの記憶手段に記憶される。
そして、掛け数が所定数（例えば、３枚）になったときに、１回の遊技を実行可能な権利を保有するゲーム開始可能な状態となる。
【００１４】
このゲーム開始可能な状態では、スタートレバー３の操作が有効状態となる。
この有効状態になっているときに、スタートレバー３が傾動操作されると、ゲームが開始され、複数の図柄の表されたリール４１ａ〜４１ｃが変動（以下、回転ということもある）を開始するとともに、リプレイ（再遊技）、小役、ボーナスなどの複数の当選役（はずれを含む）の中から今回ゲームの抽選結果をリール４１の停止前に事前に決定する内部抽選処理が実行される（事前決定手段）。
【００１５】
内部抽選処理では、例えば、複数の当選役（例えば「通常リプレイ」、「チェリー１」、「チェリー２」など）の中から今回ゲームの当選役を所定の当選確率に基づいて抽選により決定する抽選処理が実行される。また、複数の当選役の中には、例えば「ＢＩＧボーナス」、「ＲＥＧボーナス」などのボーナス役、「押し順ベル」、「押し順リプレイ」、「はずれ」などもある。
なお、本実施形態では、内部抽選処理は、後述するリール４１ａ〜４１ｃが定常回転に達する前に完了するものであるが、リール４１ａ〜４１ｃが回転を開始する前に完了するようにしてもよい。
【００１６】
各リール４１ａ〜４１ｃは、表示手段の一例であり、各リール４１ａ〜４１ｃの周面には、識別情報となる複数（通常２１個）の図柄が表されており、停止状態から徐々に回転速度を上げた後、一定の速度で回転する定常回転に達する。
このような定常回転に達すると、各リール４１ａ〜４１ｃに対応して設けられた停止ボタン５ａ〜５ｃが押下操作可能な状態（停止ボタン５操作の有効化）となる。
【００１７】
停止ボタン５ａ〜５ｃは、操作手段の一例であり、例えば、停止ボタン５ａ〜５ｃに内蔵されたＬＥＤ等の発光手段が点灯することにより押下操作可能な状態となり、このような状態において各停止ボタン５が押下操作されると、その操作タイミングと内部抽選処理の抽選結果とにより許容される図柄の組合せで停止するように、各リール４１ａ〜４１ｃが停止制御される（導出制御手段）。
【００１８】
停止状態では、リール４１ａ〜４１ｃのそれぞれに表された上下方向に連続する３つの図柄が表示窓６から機外に臨むように停止し、このときの停止態様に基づいて入賞の有無が判定される。
入賞の判定は、所定の入賞ライン上に停止した図柄の組合せに基づいて判定され、例えば、上・中・下段３つのラインと斜め２つのラインの計５ラインいずれかの入賞ライン上に停止表示された図柄の組合せに基づいて判定される。
【００１９】
そして、入賞ライン上に停止した図柄の組合せを判定した結果、図柄の組合せが小役などに対応する特定表示結果であるときに、図柄の組合せに応じた遊技価値が付与される（遊技価値付与手段）。
例えば、小役に対応する図柄の組合せの停止表示（以下、導出ともいう）により、入賞が判定され、メダル払出装置７が駆動制御されることにより、メダルの貯留されたホッパー７ａからメダル払出口７ｂを介して所定数のメダルが払い出され、具体的には、「ベル」、「押し順ベル」に対応する図柄の組合せの停止表示により８枚のメダルが払い出され、「チェリー１」、「チェリー２」に対応する図柄の組合せの停止表示により１枚のメダルが払い出される。
【００２０】
なお、メダルの払い出しは、クレジットメダルの上限数を超える分のみが払い出されるように構成することもできるが、図示しない所定の設定ボタンを事前に操作することにより、入賞が発生するごとに、入賞に対応するメダルが払い出されるように構成することもできる。
また、リプレイ（例えば通常リプレイ、特殊リプレイ１〜３、押し順リプレイを含む）に対応する図柄の組合せの停止表示により、入賞が判定され、次回ゲームにおいてメダルの投入を行うことなく遊技可能な状態となる。
また、「ＢＩＧボーナス」、「ＲＥＧボーナス」に対応するボーナス図柄の組合せの停止表示により、所定の小役に高確率で当選するボーナス遊技に移行する。
【００２１】
［主制御部・副制御部］
このような一連の動作を１回の遊技とするスロットマシン遊技は、図３に示すように、主制御部１０が、ベットボタン２ａ、スタートレバー３、停止ボタン５などの操作手段やメダルセレクタ２ｂなどの入力手段からの入力情報に基づいて、リール４１ａ〜４１ｃやこれらを回転駆動させるパルスモータなどを備えるドラムユニット４、メダル払出装置７などの出力手段を制御することにより実現される。
【００２２】
また、スロットマシン１では、このようなスロットマシン遊技に同期した遊技演出も行われる。
例えば、ボーナス遊技やＡＲＴ遊技への移行を示す画像演出、ファンファーレ音、及びランプ演出などがそれぞれ、液晶ＴＶなどの表示器８、スピーカ９、及びＬＥＤ等の発光手段を備えるランプ１１などの報知手段を介して出力される。
【００２３】
そして、本実施形態では、後述する演出制御により、上記のようなＡＲＴ遊技中に実行される演出として、ＡＲＴ中にスピーカ９から出力されるＢＧＭを選択・設定することができるようになっており（ＢＧＭ選択機能）、また、ＡＲＴ中における上乗せ抽選処理によって上乗せが決定されると、スピーカ９を介して所定の演出（ストック示唆演出）が実行可能になっている（ストック示唆機能）。
また、そのようにＡＲＴ中に出力されるＢＧＭの選択・設定は、表示器８の表示内容に従って、遊技者がスタートレバー３や停止ボタン５等を操作することで行うことができる（操作受付手段）。
【００２４】
このような報知手段・演出制御は、副制御部２０により制御される。また、副制御部２０は、主制御部１０から所定の遊技タイミングごとに受信する制御コマンドに基づいてこれらを制御する。
そして、本実施形態では、この副制御部２０が、演出制御手段として機能・動作することにより、本発明に係る第１演出状態・第２演出状態の演出が実行・制御されるようになっている。
【００２５】
副制御部２０は、演出制御手段の一例であり、主制御部１０からの指令に従った動作を実行可能に構成される。
例えば、副制御部２０は、主制御部１０に設けられた出力ポートなどの送信手段から所定の遊技タイミングごとに送信される制御コマンドを、当該副制御部２０に備える入力ポートなどの受信手段を介して受信するとともに、受信した制御コマンドを解読し、制御コマンドに応じた演出を行うように表示器８などの報知手段を制御する。
副制御部２０で制御・実行される演出制御の詳細については、図６〜１０を参照しつつ後述する。
【００２６】
スロットマシン１は、このような通常のスロットマシンと同様の構成に加えて、以下のような特徴的な構成を備えている。
【００２７】
［遊技状態（有利状態）］
スロットマシン１は、図４に示すように、主制御部１０により移行可能に制御される複数の遊技状態を有している。
大別すると、通常状態と有利状態があり、図５における「遊技媒体増加区間」の項目に示すように、通常状態はメダルの減少し易い区間（図中の「×」は減少を示す）であり、遊技者に不利な遊技状態となっており、有利状態はメダルの増加し易い区間（図中の「○」は増加を示す）であり、通常状態よりも遊技者に有利な遊技状態となっている。
これにより、主制御部１０によって、本発明に係る有利状態制御手段が構成・実行されるようになっている。
【００２８】
本実施形態の有利状態は、さらに、ボーナスとＡＲＴとに大別される。
ボーナスは、遊技価値として付与される特定遊技価値の一例であり、所定の小役に高確率で当選するゲームが所定のメダル獲得数まで継続する有利な状態であり、「ＢＩＧボーナス」、「ＲＥＧボーナス」などのボーナス役に当選するとともにこれらに対応するボーナス図柄の組合せの導出後に移行する。
ボーナスには、例えば、メダル獲得数の多い「ＢＩＧボーナス」と、メダル獲得数の少ない「ＲＥＧボーナス」とがある。
【００２９】
ＡＲＴは、特定遊技価値の一例であり、ＡＴとＲＴの二つの状態が組み合わされた有利な状態である。
ＡＴは、アシスト・タイムの略称であり、各停止ボタン５に対する操作順序や、目押しの目安となる図柄等を報知することにより、内部抽選処理の抽選結果に対応する図柄の組合せの導出をアシストする遊技状態である。
例えば、内部抽選処理において抽選される小役や再遊技の中には、対応する図柄の組合せが停止ボタン５ａ〜５ｃに対して行う６通りの操作順序それぞれに対応して導出可能な押し順指定の当選役があり、ＡＴでは、これらの小役や再遊技に当選したときに、遊技者にとって有利な遊技結果が得られるように、それぞれに対応する押し順を表示器８などの報知手段を介して報知する。
【００３０】
具体的には、例えば「押し順リプレイ」、「押し順ベル」、「特殊リプレイ１」〜「特殊リプレイ３」等の押し順指定の当選役があり、それぞれ６通りの操作順序に対応する停止表示の組合せがある。各押し順指定の当選役に当選したときに、それぞれに対応する押し順をスピーカ９や表示器８などの報知手段を介して画像、発光態様、音声等により報知し、遊技者がこの報知に従った順序で停止ボタン５ａ〜５ｃを操作することにより、押し順指定の当選役に入賞することになる。
また、このような押し順の報知に代えて又は加えて、小役や再遊技に当選したときに、これらに対応する図柄をスピーカ９、表示器８などの出力手段を介して報知することにより、目押しをアシストすることもできる。
【００３１】
ＲＴは、リプレイ・タイムの略称であり、内部抽選処理において抽選される通常リプレイの当選確率が、通常状態よりも高い有利な遊技状態である。
ＡＲＴは、このようなＡＴとＲＴとが組み合わされた遊技状態であり、再遊技に高確率で当選しつつ、停止ボタン５に対する操作のアシストにより小役入賞が得られることから、手持ちのメダルが増加し易い遊技者に有利な遊技状態となっている。
【００３２】
このようなＡＲＴは、始期及び終期を有している。
ＡＲＴの始期は、例えば、通常状態において、所定の小役（例えば、チェリー１、２などのレア小役）に当選すること、かつ、この当選時に行われるＡＲＴ（ＡＴ）抽選処理において当選すること、さらに、ＲＴの開始に係る図柄の組合せが導出することなどを始期することができる。ＲＴの開始に係る図柄の組合せは、例えば、特殊リプレイ２又は３に当選したときに導出可能な図柄の組合せ（例えば、「リプレイ・リプレイ・ベル」、「ベル・ベル・リプレイ」）とすることができる。
【００３３】
なお、ボーナス中における所定の条件成立（所定小役の当選など）によっても、ＡＴに当選することもあり、この場合、ボーナス終了後、ＲＴの開始に係る図柄の組合せの導出等によりＲＴ開始となり、ＡＲＴに移行することもある。
ＡＲＴの終期は、例えば、所定ゲーム数の消化、所定数のメダル獲得、所定小役の所定回数当選などを終期とすることができる。
そして、このような始期と終期とにより規定される期間をＡＲＴの継続期間という。
【００３４】
このようなＡＲＴは、さらに、複数の状態に細分化される。
例えば、「通常ＡＲＴ」、「上乗せＡＲＴ」、「ボーナスＡＲＴ」などの３つの状態に細分化することができる。これらは、ＡＲＴの継続期間を延長させるための特定結果を導出する確率の異なる状態となっている。
特定結果を導出する確率とは、ＡＲＴの継続期間を延長させるための確率であって、例えば、上乗せ抽選処理において当選する上乗せ当選確率のことをいう。
【００３５】
上乗せ抽選処理とは、ＡＲＴ中に実行される抽選処理であり、当該ＡＲＴの継続期間を延長させるか否かを抽選により決定する処理のことである。この抽選処理は所定条件の成立タイミング（例えば、所定小役の当選タイミングなど）で実行され、これに当選すると、例えば、ＡＲＴの残りゲーム数に上乗せ抽選処理により当選した上乗せゲーム数が加算され、又は、ＡＲＴの残りメダル獲得数に上乗せ抽選処理により当選したメダル獲得数が加算され、又は、ＡＲＴの残り小役当選回数に上乗せ抽選処理により当選した上乗せ小役当選回数が加算されるなどにより、ＡＲＴの継続期間が延長されることになる。
【００３６】
そして、本実施形態では、後述する演出制御により、上記のようなＡＲＴ中に実行される演出として、ＡＲＴ中に出力されるＢＧＭが、遊技者の操作に応じて選択・設定することができるようになっている（ＢＧＭ選択機能）。
また、上記のような上乗せ抽選処理が抽選により決定された場合には、ＡＲＴ中の演出として、所定の音声等が出力され、遊技者に対してＡＲＴの継続期間が延長されたことが示唆・報知されるようになっている（ストック示唆機能）。
【００３７】
なお、上述したＡＲＴ中における３つの状態は、この上乗せ当選率が異なる値に設定されており、例えば、図５における「上乗せ当選確率」の項目に示すように、「上乗せＡＲＴ」が最も高い値に設定され、これに、「ボーナスＡＲＴ」が続き、「通常ＡＲＴ」が最も低い値に設定されている。このような状態ごとの上乗せ当選率は主制御部１０に備えるＲＯＭなどの記憶手段に記憶されている。
また、ＡＲＴ中においてボーナス役に当選することもあり、ボーナス役に当選後に移行するボーナス中に上乗せ抽選処理を実行することもでき、この場合、図５における「上乗せ当選確率」の項目に示すように、「ＲＥＧボーナス」は「ＢＩＧボーナス」よりも上乗せ当選確率を高く設定することが好ましいがこの限りではない。
そして、このような複数のＡＲＴ中において、上記のようなＢＧＭ選択機能及びストック示唆機能の演出制御が実行されるようになっている。
【００３８】
以上のような有利状態に対して、通常状態は、再遊技の当選確率がＲＴよりも低く、アシスト対象となる小役や再遊技に当選したとしても対応する押し順や目押し図柄等を報知しないことから、手持ちのメダルが減少し易い遊技者に不利な遊技状態となる。
また、通常状態は、さらに、図４に示すように複数の状態に細分化される。
【００３９】
図４に示すように、通常状態は、例えば「通常モード」、「チャンスモード」などに細分化することができる。
これらのモードの違いはＡＲＴへの移行をかけたＡＲＴ（ＡＴ）抽選処理における当選（突入）確率の違いである。ＡＲＴ（ＡＴ）抽選処理は、例えば、所定の小役に当選したときに実行される抽選処理であり、図５における「ＡＲＴ突入確率」に示すように、「チャンスモード」が「通常モード」よりも高い値に設定されている。
【００４０】
また、通常状態において、ボーナスやボーナスＡＲＴに当選することもあり、このようなボーナス中にＡＲＴ（ＡＴ）抽選処理を実行することもでき、この場合、図５における「ＡＲＴ突入確率」の項目に示すように、「ＢＩＧボーナス」は「ＲＥＧボーナス」や「ボーナスＡＲＴ」よりも突入確率を高く設定することが好ましい。
なお、図５における「遊技媒体増加区間」の項目に示す例では、「チャンスモード」をメダルの減少する区間として説明したが、これらの状態のうちの一部又は全部において、ＡＴなどの遊技者に有利な遊技状態に移行させることもでき、これにより、「チャンスモード」をメダルの減少する「×」の区間ではなく、「○」と「×」の中間を意味する「△」の区間とすることもできる。
【００４１】
［遊技状態の移行制御］
以上のような複数の遊技状態間の移行は、遊技状態制御手段として動作する主制御部１０により制御される。
例えば、主制御部１０は、スロットマシン１への電源供給開始後は、通常状態における「通常モード」に移行させ、その後、所定の小役の当選等を契機に、「チャンスモード」に移行させることができる。
また、通常状態、ボーナス中において、所定の小役に当選したときにＡＲＴ（ＡＴ）抽選処理を実行し、この処理において当選したときには、その後、特殊リプレイ２又は３の当選、又はこれらに対応する図柄の組合せ（例えば、「リプレイ・リプレイ・ベル」、「ベル・ベル・リプレイ」）の導出を契機に、ＡＲＴに移行させる。
【００４２】
ＡＲＴに移行後は、例えば、最初に「通常ＡＲＴ」に移行させ、所定の継続期間が終了したときには、通常状態に移行させる。
この「通常ＡＲＴ」中において、所定の小役の当選などを契機に所定ゲーム数に亘り「上乗せＡＲＴ」に移行させる。特に、このような「上乗せＡＲＴ」に移行するときには、特別な演出（例えば、スタート操作を行ってもリールの回転を開始させない所謂フリーズ演出など）を伴うことが好ましい。また、「上乗せＡＲＴ」から「通常ＡＲＴ」への移行は、所定ゲーム数の消化などを契機とすることができる。
【００４３】
「通常ＡＲＴ」及び「上乗せＡＲＴ」において、ボーナスＡＲＴ役として機能する「特殊リプレイ１」に当選したときには、所定ゲーム数に亘り「ボーナスＡＲＴ」に移行させる。
「特殊リプレイ１」は、押し順指定の当選役であり、６通りの押し順のうち表示器８などによる報知に従った一の押し順で停止ボタン５ａ〜５ｃを操作することに加え、「７」を狙った目押しを行うことにより、「７・７・７」が導出されることになり、当該一の押し順以外の押し順や目押しのミスにより、「リプレイ・７・７」などの他の図柄の組合せが導出される（図７参照）。本実施形態では、「７・７・７」の導出の有無にかかわらず「ボーナスＡＲＴ」に移行させることとする。
【００４４】
「ボーナスＡＲＴ」は、特定遊技価値の一例であり、ＡＲＴの継続期間（ゲーム数など）が減ることはなく、ＡＲＴが所定期間に亘って継続する状態であり、所定ゲーム数の消化等により、「通常ＡＲＴ」などの直前のＡＲＴ状態に移行する。このような「ボーナスＡＲＴ」として、所定ゲーム数やメダル獲得数がそれぞれ異なる複数の種類の「ボーナスＡＲＴ」を設けることもできる。
また、「通常ＡＲＴ」及び「上乗せＡＲＴ」において、ボーナス役に当選したときには、「ＢＩＧボーナス」、「ＲＥＧボーナス」などの「ボーナス」に移行させる。この「ボーナス」中は、ＡＲＴの継続期間（ゲーム数など）が減ることはなく、「ボーナス」終了後、「通常ＡＲＴ」などの直前のＡＲＴ状態に移行する。
そして、以上のようにしてＡＲＴに移行すると、上述したＢＧＭ選択機能及びストック示唆機能の演出制御が実行され、所定の継続期間が終了して通常状態に移行すると、ＢＧＭ選択機能及びストック示唆機能の演出制御も終了する。
【００４５】
［演出制御（ＢＧＭ選択機能・ストック示唆機能）］
次に、上記のような構成からなる本実施形態のスロットマシン１で実行・制御される演出制御（ＢＧＭ選択機能・ストック示唆機能）の詳細については、図６〜１０を参照しつつ説明する。
本実施形態の演出制御は、遊技者に有利となる有利状態であるＡＲＴ中において所定の演出を実行・制御するものであり、上述した副制御部２０によってスピーカ９や表示器８が制御されることで実行される。
【００４６】
具体的には、スピーカ９や表示器８は、遊技の進行に関連する演出となる音や楽曲を出力・実行可能な、発明に係る演出実行手段を構成している。
副制御部２０は、演出実行手段となるスピーカ９や表示器８を制御可能な、本発明に係る演出制御手段を構成している。
主制御部１０は、通常状態よりも遊技者に有利な有利状態となるＡＲＴを制御可能な、本発明に係る有利状態制御手段を構成している。
表示機８及びスタートレバー３、停止ボタン５等の操作部は、ＡＲＴ中に出力されるＢＧＭの選択・設定を行う遊技者の操作を受け付け可能な、本発明に係る操作受付手段を構成している。
【００４７】
［第１／第２演出状態］
そして、以上のような演出制御手段によって制御される演出制御状態として、本実施形態では、スピーカ９を介して出力・実行させる演出として、スタートレバー３、停止ボタン５等で選択・設定される遊技者の操作に基づいて制御される第１演出状態と、ＡＲＴ状態の制御に関わる所定条件の成立に基づいて制御される第２演出状態とが実行されるようになっている。
【００４８】
すなわち、第１演出状態は、ＡＲＴ中に出力・実行されるＢＧＭとして、遊技者により選択されたＢＧＭ（音・曲）が演出（演出音・効果音）として出力されるものである（ＢＧＭ選択機能）。
これによって、遊技者は、ＡＲＴ中には、自らが選択した好みのＢＧＭを聴きながら、楽しみながら、ＡＲＴにおける遊技を進行・継続させることができる。
なお、遊技者によるＢＧＭの選択・設定が行われなかった場合には、予め設定された所定のＢＧＭ（デフォルトＢＧＭ）が出力されるようになる。したがって、遊技者がＢＧＭの選択を行わなかった場合でも、ＡＲＴ中にはＢＧＭ演出が実行される。
【００４９】
また、第１演出状態であるＢＧＭ選択機能で出力される音声等としては、上述したＢＧＭの他、例えば停止ボタン５を操作した際に出力される音声として通常とは異なる音声などを選択・設定可能とすることができる。
また、そのようなＢＧＭ選択機能で出力される音声等とともに、あるいは、そのような音等に代えて、例えば表示器８に表示される背景やキャラクタなどの映像として、遊技者が選択・設定した映像等を表示させることもできる。
【００５０】
また、第２演出状態は、上述したＡＲＴ中に行われる上乗せ抽選処理によって、上乗せ抽選処理が抽選により決定された場合に、ＡＲＴの継続期間が延長されたことを示唆・報知する音声として、通常のＡＲＴ中のＢＧＭとは異なる音や曲などが出力されるものである（ストック示唆機能）。
これによって、遊技者は、ＡＲＴ中において、上乗せ抽選によってＡＲＴの継続期間が延長されたことを認識・把握することができるようになる。
【００５１】
なお、ストック示唆機能で出力される音声として、上述したＡＲＴ中の演出として出力されるＢＧＭや、例えば停止ボタン５を操作した際に出力される音声として、ＢＧＭ選択機能の場合とは異なる音声などを設定することも可能である。
また、そのような音声等とともに、あるいは、そのような音等に代えて、例えば表示器８に表示される背景やキャラクタなどの映像として、ＡＲＴの継続期間が延長されたことを示唆する映像等を表示させることもできる。
【００５２】
このように、第１演出状態に基づいて制御され得る演出と、第２演出状態に基づいて制御され得る演出とは、演出内容（音・曲など）を異ならせることができる。これによって、遊技者に対して、現在ＡＲＴ中であること、そして、そのＡＲＴ中に当該ＡＲＴの継続期間が延長されたことを、異なる演出によって明確に認識・把握させることができるようになる。
図６（ａ）に、本実施形態に係るスロットマシン１の演出制御で設定・実行される演出内容の一例として、ＢＧＭ選択機能・ストック示唆機能のＢＧＭとして設定可能なＢＧＭの種類と設定対象の対応関係を示す。
【００５３】
同図に示す例では、ＢＧＭ選択機能・ストック示唆機能のＢＧＭとして、「Ａ」、「Ｂ」、「Ｃ」、「Ｄ」、「Ｅ」の５種類のＢＧＭ（音声・楽曲等）が用意されている。
これらＢＧＭは、各種類に対応する音源データが、他の音源データや映像データ、描画データとともに、例えば副制御部２０の制御により読み出し可能な記憶手段（ＲＯＭ等）に記憶・格納されている。
【００５４】
これら５種類のＢＧＭのうち、ＢＧＭ選択機能用として、「Ａ」、「Ｂ」、「Ｃ」の３種類のＢＧＭが割り当てられている。したがって、この「Ａ」、「Ｂ」、「Ｃ」の３種類のＢＧＭは、遊技者の選択により、ＡＲＴ中に出力されるＢＧＭとして設定することができる。
また、この「Ａ」、「Ｂ」、「Ｃ」の３種類のＢＧＭのうち、「Ａ」及び「Ｂ」は、ストック示唆機能のＢＧＭとしては対象外となっている。したがって、「Ａ」及び「Ｂ」は、ストック示唆機能において出力されることはない。
一方、「Ｃ」については、ストック示唆機能のＢＧＭとしても対象となっており、後述する所定条件の成立に応じて、ストック示唆機能において出力される場合がある。
【００５５】
また、同図に示すように、ストック示唆機能用のＢＧＭとして、「Ｃ」、「Ｄ」、「Ｅ」の３種類のＢＧＭが割り当てられている。したがって、この「Ｃ」、「Ｄ」、「Ｅ」の３種類のＢＧＭは、ＡＲＴ中に上乗せ抽選処理が抽選により決定されると、ＡＲＴの継続期間が延長されたことを示唆・報知する演出として、所定のタイミングで出力されることになる。
また、この「Ｃ」、「Ｄ」、「Ｅ」の３種類のＢＧＭのうち、「Ｄ」及び「Ｅ」は、ＢＧＭ選択機能のＢＧＭとしては対象外となっている。したがって、「Ｄ」及び「Ｅ」は、ＢＧＭ選択機能において選択・出力されることはない。
一方、「Ｃ」については、ＢＧＭ選択機能のＢＧＭとしても対象となっており、遊技者の選択により、ＡＲＴ中に出力されるＢＧＭとして設定することができる。
【００５６】
このように、ＢＧＭ選択機能とストック示唆機能において、共通のＢＧＭを設定・出力可能とすることで、ＡＲＴ中の演出制御として、第２演出状態（ストック示唆機能）においても、第１演出状態（ＢＧＭ選択機能）において遊技者の操作に基づいて制御される演出のうち、一部（上記ＢＧＭ「Ｃ」参照）を制御可能とすることできる。
このようにすることで、遊技者にとっては、ストック示唆機能に係る演出（ＢＧＭ）が出力されたか否かの判断を難しくしたり、判断がつかないようにすることができ、ＡＲＴの継続期間が延長されたか否かについての可能性や期待感を高揚させることができるようになる。
【００５７】
また、以上のような設定によって実行される演出制御は、第１演出状態（ＢＧＭ選択機能）から移行した第２演出状態（ストック示唆機能）において復帰条件が成立した場合に、第２演出状態から第１演出状態に復帰されるようになる（演出状態復帰手段）。
このような演出状態復帰手段は、第２演出状態から第１演出状態に復帰させた場合に、第２演出状態に移行する前の第１演出状態において遊技者の操作に基づいて制御されていた演出を実行させる。
これによって、遊技者は、第２演出状態においてストック示唆機能が実行された後は、再び第１演出状態に復帰したＢＧＭ選択機能により、自らが選択・設定したＢＧＭ等によって、継続するＡＲＴ等の有利状態を楽しむことができるようになる。
【００５８】
また、以上の演出実行手段が実行可能な演出には、第１演出状態において遊技者の操作に基づいて制御されることがない特定演出を含むことができる。このような特定演出を含むことで、演出制御において、ＡＲＴ等の有利状態が継続することによって成立し得る特定条件の成立に基づいて、第１演出状態と第２演出状態とのいずれの演出制御状態であっても、演出実行手段に特定演出を実行させることができる。
ここで、特定演出としては、例えばＡＲＴ中に獲得された遊技媒体（メダル）が所定枚数に達した場合に出力される獲得枚数報知演出や、ＡＲＴ期間の終了を示すエンディング映像などがある。
これにより、上述したＢＧＭ選択機能やストック示唆機能に依存・関係しない演出を実行・制御させることができ、遊技者に対して、通常のスロットマシンと同様の特定演出を報知・提供することができる。
【００５９】
以上のように、ＢＧＭ選択機能は、遊技者の自由意思によって演出の内容を選択可能とすることができる機能である。
また、ストック示唆機能は、ＡＲＴのストックの有無、数量など、ＡＲＴの継続期間が延長されたことをＢＧＭの変化で遊技者に示唆する機能である。
これによって、従来の遊技機にはない、遊技者に新たな興奮や期待感、満足度などを付与することができるようになる。
【００６０】
なお、上述したＢＧＭ選択機能に応じて、ＡＲＴやボーナスゲーム等の遊技状態に応じて選択できるＢＧＭを異ならせたり、選択可能となるまでの条件を設定することもできる。
また、例えばレア小役当選時に選択可能な曲を増加させるようにしてもよい。
また、図６（ａ）で示した例では、設定可能な複数のＢＧＭのうち、「Ａ」と「Ｂ」はＢＧＭ選択機能専用、「Ｄ」と「Ｅ」はストック示唆機能専用としてあるが、これに限定されるものではない。例えば、ＢＧＭ選択機能／ストック示唆機能のそれぞれに専用のＢＧＭを設けてもよいが、そのような専用のＢＧＭを設けず、両機能において任意のＢＧＭを選択・設定可能とすることもできる。また、ＢＧＭ選択機能／ストック示唆機能のいずれか専用のＢＧＭの種類を多く設定可能としてもよい。
【００６１】
また、図６（ａ）で示した例では、ＢＧＭ「Ｃ」をＢＧＭ選択機能／ストック示唆機能の共通としたが、このような両機能共通のＢＧＭを設けないこともできる。また、共通のＢＧＭ等の演出を設ける場合に、それを複数種類設けてもよい。
さらに、本実施形態では遊技状態に対応して選択・設定可能なＢＧＭ選択機能用のＢＧＭとして、上述した「Ａ」と「Ｂ」を想定しているが、その他に、ＢＧＭ選択機能やストック示唆機能の対象とならないＢＧＭ等の演出が用意されていてもよく、そのようなＢＧＭ等についても選択可能とすることもできる。
【００６２】
［ストック示唆機能の発動条件］
次に、以上のような演出制御手段によって制御される第２演出状態であるストック示唆機能の発動条件について説明する。
本実施形態では、ストック示唆機能の発動・実行される所定条件として、以下のような場合が設定・制御されるようなっている。
すなわち、ストック示唆機能の対象となる有利状態であるＡＲＴは、上述のとおり、上乗せ抽選によってＡＲＴの継続期間が延長されるようになっており、そのような一の実行権利（ＡＲＴ継続期間の延長）に基づいて、ＡＲＴのゲーム数が所定ゲーム数継続するように構成されている。なお、このような実行権利（ＡＲＴ継続期間の延長）の数（ストック数）は、例えば主制御部１０のＲＡＭなどの記憶手段に記憶されるようになっている。
【００６３】
そして、ストック示唆機能の発動の所定条件として、そのような実行権利が所定数となった場合、すなわち、ＡＲＴ継続期間の延長のストック数が所定数になった場合としてあり、ストック数が所定数になるとストック示唆演出が発動・実行されるようになっている。
また、ストック示唆機能の発動の所定条件として、上記のようなＡＲＴ継続期間が延長されることによって、現在実行中のＡＲＴにおける残ゲーム数が所定ゲーム数となった場合とすることもでき、ＡＲＴの残ゲーム数が一定ゲーム数以上に増加するとストック示唆演出を発動・実行させるようにすることもできる。
【００６４】
このようにストック示唆機能の発動条件を設定することで、ＡＲＴ中において期間延長のストック数が所定数になったり、それによってＡＲＴの残ゲーム数が所定数に達した場合に、上述のようなストック示唆演出が実行されるようになる。
これによって、遊技者は、ＡＲＴ中の遊技を行っている所定のタイミングで、ストック数の獲得や増加、残ゲーム数の増加等をストック示唆演出によって認識・把握でき、現在行っているＡＲＴ遊技が一定期間延長されることによる期待や興奮、満足感などが高揚されるようになる。
【００６５】
また、本実施形態に係る有利状態には、上述したように、有利度の異なる第１有利状態と第２有利状態とが含まれる場合がある。例えば、上述したようにＡＲＴは、「通常ＡＲＴ」、「上乗せＡＲＴ」、「ボーナスＡＲＴ」などの複数の遊技状態があり、それらは、例えばＡＲＴの継続期間を延長させるための確率（上乗せ当選確率）が異なるようになっている。
そこで、ストック示唆機能の発動条件として、ＡＲＴ中において上記のようなストック数や残ゲーム数が所定数となった場合でも、第１有利状態（例えば通常ＡＲＴ）においては、演出制御状態を第１演出状態（ＢＧＭ選択機能）に制御し、第２有利状態（例えばボーナスＡＲＴ）においては、演出制御状態を第２演出状態（ストック示唆機能）に制御することができる。
このようにすると、上乗せ当選確率がより高い有利状態（ボーナスＡＲＴ）においてのみ、ストック示唆演出が実行されるようにすることができ、遊技者の興奮や期待度を更に高めるような演出が可能となる。
【００６６】
図６（ｂ）に、本実施形態に係るストック示唆機能の演出の発動条件と演出内容の対応関係の一例を示す。
同図に示す例では、ＡＲＴ継続期間の延長のストック数に応じて、ストック示唆機能として実行・出力されるＢＧＭの種類と選択（発動）確率が設定されている。このようなストック示唆機能のＢＧＭの選択処理は、上述した副制御部２０によって実行・制御され、ＢＧＭの種類とストック数、それに応じた選択率は、例えば副制御部２０の制御により読み出し可能な記憶手段（ＲＯＭ等）に記憶・格納されている。
【００６７】
まず、ストック数が「０」の場合には、ストック示唆機能は発動されず、現在実行中のＡＲＴの遊技状態に対応するＢＧＭが出力されたままとなり、ＢＧＭの選択率は１００％となる。
したがって、この場合には、上述したＢＧＭ選択機能で選択・設定されたＢＧＭ（図６（ａ）参照）や、ＢＧＭが選択されていない場合には所定のＢＧＭ（デフォルトＢＧＭ）が、そのまま実行・出力されることになる。
【００６８】
ストック数が「１〜４」となった場合には、ストック示唆機能としてＢＧＭ「Ｃ」が発動可能であり、その場合の「Ｃ」の選択率は３０％に設定されている。また、「Ｃ」が選択されない場合には、現在実行中のＡＲＴの遊技状態に対応するＢＧＭが出力され、その選択率は７０％となる。
この場合には、ストック示唆機能が発動・実行される確率は３０％となり、ストック示唆機能が実行されたりされなかったりすることになる。
また、この場合、ストック示唆機能として実行されるＢＧＭは、上述したＢＧＭ選択機能にも割り当てられているＢＧＭ「Ｃ」となっており（図６（ａ）参照）、ＢＧＭ選択機能で「Ｃ」が選択されている場合には、ストック示唆機能が発動されたとしても、現在実行中のＡＲＴの遊技状態に対応するＢＧＭと同じであり、遊技者はストック示唆を認識することはできなくなる。
【００６９】
ストック数が「５〜９」となった場合には、ストック示唆機能としてＢＧＭ「Ｃ」又は「Ｄ」が発動可能であり、その場合の「Ｃ」の選択率、「Ｄ」の選択率がともに５０％に設定されている。
したがって、この場合には、「Ｃ」又は「Ｄ」の選択率は１００％となり、ストック示唆機能は１００％実行・発動されるようになる。
また、この場合、ストック示唆機能として実行されるＢＧＭのうち、「Ｃ」はＢＧＭ選択機能にも割り当てられているため（図６（ａ）参照）、ストック示唆機能として「Ｃ」が選択された場合には、ＢＧＭ選択機能で「Ｃ」が選択されていると、ストック示唆機能が発動されても遊技者はストック示唆を認識することはできなくなる。
一方、ストック示唆機能として「Ｄ」が選択された場合には、ＢＧＭ選択機能で「Ｃ」が選択されていても、ストック示唆機能が発動されれば、遊技者はストック示唆を明確に認識することが可能となる。
【００７０】
ストック数が「１０以上」となった場合には、ストック示唆機能としてＢＧＭ「Ｅ」が発動可能であり、その場合の「Ｅ」の選択率は１００％に設定されている。
したがって、この場合には、「Ｅ」の選択率は１００％となり、ストック示唆機能は１００％実行・発動されることになる。
また、この場合、ストック示唆機能として実行されるＢＧＭ「Ｅ」は、ＢＧＭ選択機能では対象外となっているため（図６（ａ）参照）、ストック示唆機能が発動されれば、遊技者はストック示唆を明確に認識することが可能となる。
【００７１】
以上のように、ストック示唆機能の発動条件は、ストック数に応じて選択される曲の種類と選択される割合が異なるように設定することできる。
これによって、遊技者に対して、いずれの場合に、どのようなタイミングでストック示唆機能が発動されるかの期待や驚き、満足感などを付与することができ、従来のスロットマシンでは得られない興奮や喜びが得られるようになる。
なお、ストック示唆機能の発動条件は、上記のような図６（ｂ）に示した場合に限られるものではなく、他の発動条件等を設定することができる。
【００７２】
例えば、スロットマシン１に設定されている出玉率の「設定」によって、発動条件を異ならせることもできる。
また、図６（ｂ）の例では、ストック数「０」、「１〜４」、「５〜９」、「１０以上」の４つの場合に、「Ｃ」、「Ｄ」、「Ｅ」の３つのＢＧＭを割り当てていたが、これを、各ストック数に応じて専用の曲等をそれぞれ用意するようにしてもよい。そのようにすると、実行される曲によって、遊技者にストック数を明確に認識・把握させることができるようになる。
さらに、ＡＲＴでは、ストックされる対象が複数ゲームのセット（セットストック）だけでなく、ゲーム数単位で上乗せ・ストックが行われる場合があり、その場合には、「セットストック＋ゲーム数」に基づく残りゲーム数に応じた曲等が用意されていてもよい。
【００７３】
［ＢＧＭの選択・設定］
次に、上述した演出制御手段によって制御される第１演出状態であるＢＧＭ選択機能を実行させるためのＢＧＭ等の選択・設定動作について説明する。
図７は、本実施形態に係るスロットマシン１においてＢＧＭ選択機能で設定・出力可能なＢＧＭ／効果音の選択・設定操作を説明するための図であり、（ａ）は選択可能なＢＧＭ等とその選択コマンドの対応関係を示す図表であり、（ｂ）及び（ｃ）は選択・設定画面の一例を示す図である。
【００７４】
本実施形態では、上述したように、第１演出状態であるＢＧＭ選択機能として、複数のＢＧＭ「Ａ」、「Ｂ」、「Ｃ」が選択・設定可能となっている（図６（ａ）参照）。また、そのようなＢＧＭの選択を行わないようすることもできるようになっている。
また、ＢＧＭ選択機能として、上記のＢＧＭ（図６（ａ）参照）の他に、停止ボタン５を操作した際に出力される音声を通常状態と異ならせる選択・設定可能とすることできる。
【００７５】
そこで、図７（ａ）に示すように、上記のようなＢＧＭ／停止ボタンの操作音として、「Ａ選択：ＢＧＭとしてＡを選択」、「Ｂ選択：ＢＧＭとしてＢを選択」、「Ｃ選択：ＢＧＭとしてＣを選択」、「選択終了：特定ＢＧＭの選択を終了」、「効果音カスタム：ボタン操作音を選択」という５つのＢＧＭ選択コマンドが備えられている。
そして、本実施形態では、上記のようなＢＧＭ／停止ボタンの操作音について、図７（ｂ）及び（ｃ）に示すように、スロットマシン１の表示器８に選択・設定画面を表示させ、例えばスタートレバー３や停止ボタン５を選択・決定のための入力手段として、遊技者の操作に応じた選択・設定ができるようになっている。
【００７６】
これにより、遊技者は、表示器８の表示画面を参照しつつ、スロットマシン１のスタートレバー３等の各種遊技用ボタンや演出用ボタンを操作して、表示器８に表示された曲名等を順次選択していくことができる（図７（ｂ）参照）。
また、ボタン操作音などの効果音についても、「Ｘ」、「Ｙ」、「Ｚ」の３種類の音を選択・設定することができる（図７（ｃ）参照）。
また、ＢＧＭの選択画面（図７（ｂ））や効果音の設定画面（図７（ｃ））において、「選択終了」を選択・入力操作を行うことで、ＢＧＭ選択機能の使用状態が解除され、遊技状態に応じた曲（デフォルトＢＧＭ）や通常のボタン操作音が出力されるようにすることができる。
【００７７】
ここで、上記のような「選択終了」を選択・設定できるようにすることで、特に、後述するＢＧＭ選択機能が優先される演出制御においては、１度でもＢＧＭ選択機能を使用してしまうと、その後別の曲を選択しようとしてもなんらかの「選択」しかできず「未選択」の状態になれないことから、「選択終了」を選択・設定することで、ＢＧＭ選択を自然な状態（「未選択」状態）に戻すことができる。
また、「選択終了」によって「未選択」状態とすることで、例えば遊技の局面などによって、遊技者が重視したい機能を優先させることができる。
【００７８】
以上のようなＢＧＭ／停止ボタンの操作音の選択・設定処理は、上述した副制御部２０によって実行・制御され、図７（ａ）に示すようなコマンドを示すデータ、図７（ｂ）及び（ｃ）に示す設定画面を示すデータは、例えば副制御部２０の制御により読み出し可能な記憶手段（ＲＯＭ等）に記憶・格納されている。
また、このようなＢＧＭ／停止ボタンの操作音の選択・設定処理は、遊技者の所定操作において任意のタイミングで行うことができ、遊技の開始前や、通常状態の遊技中において、また、有利状態であるＡＲＴ中に行うことができる。
なお、上記のようなＢＧＭ／効果音の選択・設定処理は、図７に示す場合に限定されるものではなく、例えば、専用の選択画面や選択ボタン等を別途設けることも可能である。
【００７９】
［演出パターン］
次に、以上のような本実施形態に係る第１／第２演出状態（ＢＧＭ選択機能／ストック示唆機能）の出力・実行パターンについて説明する。
第１／第２演出状態は、以下のようなパターンで実行させることができる。
まず、スロットマシン１において通常状態の遊技が行われ、上述のような所定の条件によってＡＲＴが開始すると、演出制御手段となる副制御部２０の制御により、第１演出状態が実行され、その第１演出状態において所定条件が成立した場合に、第２演出状態に移行させる制御が実行される。
また、第２演出状態において、操作受付手段（例えばスタートレバー３や停止ボタン５等）への遊技者の操作を受け付けた場合に、第２演出状態を終了して第１演出状態に移行させる制御を実行することができる。
【００８０】
以下、図８〜１０を参照して、第１／第２演出状態の具体的な実行パターンを説明する。
なお、以下に示す第１／第２演出状態の実行パターンは、上述した副制御部２０によって実行・制御され、各パターンを制御するプログラムは、例えば副制御部２０の制御により読み出し可能な記憶手段（ＲＯＭ等）に記憶・格納されている。
また、複数の各実行パターンは、いずれか一つのみを実行させることができ、また、任意の組み合わせにより複数の実行パターンを切り替えて実行させることができる。その場合、複数の実行パターンは、予め設定された所定条件で切り替えることができ、また、例えば所定の選択・設定操作に応じて、遊技場の従業者や遊技者が選択できるようにすることもできる。
【００８１】
［パターン１−１：ストック示唆機能優先］
図８（ａ）に、第１／第２演出状態の具体的な第１の実行パターンとして、ストック示唆機能を優先するパターンを示す。
同図に示すように、このパターンは、ストック示唆機能がＢＧＭ選択機能に優先して実行される場合であり、ＢＧＭ選択機能／ストック示唆機能の設定（図６参照）に応じて、以下のように実行・制御される。
【００８２】
まず、ＡＲＴが開始され、ストック示唆機能が「非発動中」の場合、すなわち、上乗せ抽選処理によるＡＲＴ継続期間の延長のストック数が所定条件を満たしていない場合には、ＢＧＭ選択機能が実行される。
この場合、遊技者によるＢＧＭの選択・設定が行われていない場合には、ＢＧＭ選択機能は「非使用中」となり、ＡＲＴ中のＢＧＭとして、例えば予め設定された所定のＢＧＭ（デフォルトＢＧＭ）など、遊技状態に対応する曲が出力されるようになる。
一方、遊技者によるＢＧＭの選択・設定が行われている場合には、ＢＧＭ選択機能は「使用中」となり、ＡＲＴ中のＢＧＭとして、遊技者により選択されたＢＧＭ、例えばＢＧＭ「Ａ」等（図６（ａ）参照）が出力されるようになる。
【００８３】
その後、ＡＲＴ中に上乗せ抽選処理が実行され、その結果、ＡＲＴ継続期間の延長のストック数が所定条件を満たした場合には、ストック示唆機能が「発動中」となる。
この場合、ＢＧＭ選択機能として遊技者によるＢＧＭの選択・設定が行われていな場合には、ＢＧＭ選択機能は「非使用中」となり、ストック示唆演出として、ストック数に対応するＢＧＭ、例えばＢＧＭ「Ｄ」等（図６（ｂ）参照）が出力されるようになる。
一方、ＢＧＭ選択機能として遊技者によるＢＧＭの選択・設定が行われている場合には、ＢＧＭ選択機能は「使用中」となるが、本パターンではストック示唆機能が優先されるようになっており、ストック示唆演出が実行され、ストック数に対応するＢＧＭが出力される。
【００８４】
図８（ｂ）は、上記のストック示唆機能が優先実行される場合を模式的に示している。
このように、本パターンでは、ＢＧＭ選択機能よりもストック示唆機能が優先して実行されるため、ストック示唆機能の所定条件が成立すると、必ずストック示唆演出が実行されることになる。
したがって、ストック示唆演出専用のＢＧＭ（図６参照）が出力される場合には、遊技者はストック示唆を明確に認識することが可能となる。
但し、ストック示唆演出用のＢＧＭがＢＧＭ選択機能で選択されているＢＧＭと共通している場合には（図６参照）、ストック示唆演出が実行されても遊技者はストック示唆を認識することはできなくなる。
【００８５】
［パターン１−２：ストック示唆機能優先・ボタン操作音有効］
図９（ａ）に、第１／第２演出状態の具体的な第２の実行パターンとして、ストック示唆機能を優先するとともに、ボタン操作音については遊技者が選択した音声を有効とするパターンを示す。
同図に示すように、このパターンは、ストック示唆機能がＢＧＭ選択機能に優先して実行され、かつボタン操作音を併用するパターンであり、ＢＧＭ選択機能／ストック示唆機能の設定（図６参照）に応じて、以下のように実行・制御される。
【００８６】
まず、ＡＲＴが開始され、ストック示唆機能が「非発動中」の場合、すなわち、上乗せ抽選処理によるＡＲＴ継続期間の延長のストック数が所定条件を満たしていない場合には、ＢＧＭ選択機能が実行される。
この場合、遊技者によるＢＧＭの選択・設定が行われていない場合には、ＢＧＭ選択機能は「非使用中」となり、ＡＲＴ中のＢＧＭとして、例えば予め設定された所定のＢＧＭ（デフォルトＢＧＭ）など、遊技状態に対応する曲が出力されるようになる。
一方、遊技者によるＢＧＭの選択・設定が行われている場合には、ＢＧＭ選択機能は「使用中」となり、ＡＲＴ中のＢＧＭとして、遊技者により選択されたＢＧＭ、例えばＢＧＭ「Ａ」等（図６（ａ）参照）が出力されるようになる。また、この場合、遊技者により選択された停止ボタンの操作音として、ＢＧＭ選択機能用の効果音が出力される。
【００８７】
その後、ＡＲＴ中に上乗せ抽選処理が実行され、その結果、ＡＲＴ継続期間の延長のストック数が所定条件を満たした場合には、ストック示唆機能が「発動中」となる。
この場合、ＢＧＭ選択機能として遊技者によるＢＧＭの選択・設定が行われていな場合には、ＢＧＭ選択機能は「非使用中」となり、ストック示唆演出として、ストック数に対応するＢＧＭ、例えばＢＧＭ「Ｄ」等（図６（ｂ）参照）が出力されるようになる。
一方、ＢＧＭ選択機能として遊技者によるＢＧＭの選択・設定が行われている場合には、ＢＧＭ選択機能は「使用中」となるが、本パターンではストック示唆機能が優先されるようになっており、ストック示唆演出が実行され、ストック数に対応するＢＧＭが出力される。
但し、この場合には、ボタン操作音については遊技者による選択・設定が行われた音声が有効とされ、ストック数に対応するＢＧＭとともに、遊技者により選択されたボタン操作音が出力される。
【００８８】
図９（ｂ）は、上記のストック示唆機能が優先実行される場合を模式的に示している。
このように、本パターンでは、ＢＧＭ選択機能よりもストック示唆機能が優先して実行されるため、ストック示唆機能の所定条件が成立すると、必ずストック示唆演出が実行されることになる。
したがって、ストック示唆演出専用のＢＧＭ（図６参照）が出力される場合には、遊技者はストック示唆を明確に認識することが可能となる。
但し、ストック示唆演出用のＢＧＭがＢＧＭ選択機能で選択されているＢＧＭと共通している場合には（図６参照）、ストック示唆演出が実行されても遊技者はストック示唆を認識することはできなくなる。
また、本パターンでは、ボタン操作音については遊技者による選択・設定が行われた音声が有効とされるため、ストック示唆演出中においても、遊技者が選択・設定したボタン操作音が出力されるようになる。
【００８９】
［パターン２：ＢＧＭ選択機能優先］
図１０（ａ）に、第１／第２演出状態の具体的な第３の実行パターンとして、ＢＧＭ選択機能を優先するパターンを示す。
同図に示すように、このパターンは、ＢＧＭ選択機能がストック示唆機能に優先して実行される場合であり、ＢＧＭ選択機能／ストック示唆機能の設定（図６参照）に応じて、以下のように実行・制御される。
【００９０】
このＢＧＭ選択機能が優先されるパターンでは、ＢＧＭ選択機能の使用／非使用によって、以下のような制御が実行される。
ＢＧＭ選択機能が「非使用中」の場合、すなわち、遊技者によるＢＧＭの選択・設定が行われていない場合には、まず、上乗せ抽選処理によるＡＲＴ継続期間の延長のストック数が所定条件を満たしていない場合には、ストック示唆機能は発動されず「非発動中」となり、ＢＧＭ選択機能が実行される。この場合、遊技者によるＢＧＭの選択・設定が行われていないので、ＡＲＴ中のＢＧＭとしては、デフォルトＢＧＭなどの遊技状態に対応する曲が出力される。
また、ＡＲＴ中に上乗せ抽選処理が実行され、その結果、ＡＲＴ継続期間の延長のストック数が所定条件を満たした場合には、ストック示唆機能が「発動中」となる。この場合にも、遊技者によるＢＧＭの選択・設定が行われていないので、ＢＧＭ選択機能は実行されず、ストック示唆演出が実行されて、ストック数に対応するＢＧＭが出力されることになる。
【００９１】
一方、ＢＧＭ選択機能が「使用中」の場合、すなわち、遊技者によるＢＧＭの選択・設定が行われている場合には、まず、上乗せ抽選処理によるＡＲＴ継続期間の延長のストック数が所定条件を満たしていない場合には、ストック示唆機能は発動されず「非発動中」となり、ＢＧＭ選択機能が実行される。この場合には、遊技者によるＢＧＭの選択・設定が行われているので、ＡＲＴ中のＢＧＭとしては、遊技者により選択されたＢＧＭ、例えばＢＧＭ「Ａ」等（図６（ａ）参照）が出力されるようになる。
また、ＡＲＴ中に上乗せ抽選処理が実行され、その結果、ＡＲＴ継続期間の延長のストック数が所定条件を満たした場合には、ストック示唆機能が「発動中」となる。しかしながら、この場合に、本パターンではＢＧＭ選択機能が優先されるので、ストック示唆演出は実行されず、そのままＢＧＭ選択機能が継続して実行され、遊技者により選択されたＢＧＭが出力されることになる。
【００９２】
図１０（ｂ）は、このようなＢＧＭ選択機能が優先実行される場合を模式的に示している。
このように本パターンでは、ストック示唆機能よりもＢＧＭ選択機能が優先して実行されるため、ストック示唆機能の所定条件が成立した場合でも、ＢＧＭ選択機能が非使用中の場合、または、ＢＧＭ選択機能を「選択終了」させた場合でないと、ストック示唆演出は実行されないことになる。
したがって、例えばストック示唆機能を不要とするような遊技者にとっては、本パターンにおいてＢＧＭ選択機能を積極的に選択・利用することで、ストック示唆機能を発動・実行させないようにすることができ、遊技者の多様なニーズや嗜好にきめ細かい対応が可能となる。
【００９３】
以上説明したように、本実施形態のスロットマシン１では、遊技者が選択したＢＧＭなどの演出制御と、ＡＲＴ等の有利状態に関わる所定条件の成立によって制御される演出制御を、所定の優先順位・実行パターンに従って制御・実行することができる。
これによって、遊技者はストック示唆機能とＢＧＭ選択機能の双方を楽しむことができ、従来にはない演出による興奮や期待感、満足度などが得られるようになる。
【００９４】
これに対して、例えば、上述した特許文献１に記載の遊技機を含む従来の遊技機では、ＡＲＴの残りストック数に応じて、単にＢＧＭが変化するだけであった。
このため、遊技者にとっては、例えばＢＧＭが変わったとしても興趣が高まりきらず、特に、遊技者の所望するＢＧＭに変化するとは限らない点に大きな問題があった。
本実施形態のスロットマシン１によれば、上述のとおり、このような従来の遊技機が改善すべき課題の全部又は一部などを解決することができるものである。
【００９５】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００９６】
例えば、本実施形態では、ＡＲＴ中はＢＧＭ選択機能（第１演出状態）を使用可能とし、所定条件の成立（ストック数所定数以上、ＡＲＴ中の連続演出発生など）で、ＢＧＭが自動選択される（第２演出状態）演出制御を例に取って説明したが、これに限定されるものではない。
例えば、連続演出が開始されるとＢＧＭが変化する機能を備える遊技機においては、そのような連続演出の開始を「所定条件の成立」として、ＢＧＭを第１演出状態から第２演出状態に移行させることになるので、そのような場合も、本発明に係る演出制御に該当する。
【００９７】
その他、本発明の変形例、応用例としては以下のようなものがある。
(1)第１有利状態（ＡＲＴ）中はストック示唆機能を発動可能とし、第２有利状態（ボーナス）中はＢＧＭ選択機能を使用可能としてもよい。
(2)設定差がある第２有利状態（ボーナス）中はストック示唆機能を発動可能とし、設定差がない第２有利状態（ボーナス）中はＢＧＭ選択機能を使用可能としてもよい。
(3)有利度が異なる状態によって、ＢＧＭ選択機能が有効か、ストック示唆機能が有効かを異ならせてもよい。また、選べる演出の選択肢が異なるように制御してもよい（例えば、ＡＲＴ中は曲Ａ〜Ｃ、ボーナス中はＤ、Ｅなど）。
(4)ストック示唆機能をＡＲＴ中に発動可能とし、ＢＧＭ選択機能をボーナスＡＲＴとした場合に、いずれの場合にも特別ＢＧＭや、エンディング的なムービーや、獲得枚数報知演出を実行可能とすることができる。
(5)ストック示唆機能をＡＲＴ中に発動可能とし、ＢＧＭ選択機能をボーナスＡＲＴとした場合に、フリーズが発生した場合にはいずれの場合でも特別な演出を実行することができる。
【００９８】
また、上述した本実施形態では、副制御部２０を本発明に係る演出制御手段として構成・動作させているが、これに代えて、例えば主制御部１０を演出制御手段として動作させることもできる。
また、上述した本実施形態では、主制御部１０を遊技状態制御手段などとして動作させたが、これに代えて、副制御部２０を遊技状態制御手段などの各種手段として動作させることもできる。
また、本実施形態では、主制御部１０がＡＲＴ（ＡＴ）抽選処理、上乗せ抽選処理など各種抽選処理を行ったが、内部抽選処理を除いた各種抽選処理を副制御部２０が行うこともできる。
【００９９】
また、本実施形態では、表示手段としてモータにより駆動制御されるリールを用いたが、これに代えて又はこれに加えて、液晶表示器などの表示器にリール等の図柄が変動する画像を表示させることにより、表示器を識別情報の表示手段として用いることもできる。
また、本実施形態では、本発明をスロットマシンに適用した例を示したが、遊技機としてパチンコ機や玉スロなど、他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【符号の説明】
【０１００】
１  スロットマシン
２  メダル投入口
２ａ  ベットボタン
３  スタートレバー
５  停止ボタン
８  表示器
９  スピーカ
１０  主制御部１１  ランプ
２０  副制御部
４１  リール
【図１】
2018068712.tif 000003
【図２】
2018068712.tif 000004
【図３】
2018068712.tif 000005
【図４】
2018068712.tif 000006
【図５】
2018068712.tif 000007
【図６】
2018068712.tif 000008
【図７】
2018068712.tif 000009
【図８】
2018068712.tif 000010
【図９】
2018068712.tif 000011
【図１０】
2018068712.tif 000012